(57)【要約】【課題】安定したクランプ・調芯を行えることが可能なクランプ・調芯機構、情報再生機構及び情報記録機構を提供する。【解決手段】本発明に係るクランプ・調芯機構（３０）は、記録媒体（８）が載置され回転駆動手段（３２）により回転されるターンテーブル（１２）と、前記ターンテーブル（１２）上に載置された前記記録媒体（８）を保持する保持手段（３６）と、前記ターンテーブル（１２）上に載置された前記記録媒体（８）を調芯する調芯手段（３７）と、前記保持手段（３６）及び前記調芯手段（３７）を駆動する駆動手段（３４等）と、を備えている。そして、前記駆動手段（３４等）は、前記記録媒体（８）の保持を解除する方向に前記保持手段（３６）を駆動する際に、前記記録媒体（８）の調芯を解除する方向に前記調芯手段（３７）を駆動することを特徴とする。【選択図】　図４
2004071101.tif 000002
【特許請求の範囲】
【請求項１】
記録媒体が載置され回転駆動手段により回転されるターンテーブルと、
前記ターンテーブル上に載置された前記記録媒体を保持する保持手段と、
前記ターンテーブル上に載置された前記記録媒体を調芯する調芯手段と、
前記保持手段及び前記調芯手段を駆動する駆動手段と、を備えたクランプ・調芯機構であって、
前記駆動手段は、前記記録媒体を保持する方向に前記保持手段を駆動する際に、当該記録媒体を調芯する方向に前記調芯手段を駆動することを特徴とするクランプ・調芯機構。
【請求項２】
記録媒体が載置され回転駆動手段により回転されるターンテーブルと、
前記ターンテーブル上に載置された前記記録媒体を保持する保持手段と、
前記ターンテーブル上に載置された前記記録媒体を調芯する調芯手段と、
前記保持手段及び前記調芯手段を駆動する駆動手段と、を備えたクランプ・調芯機構であって、
前記駆動手段は、前記記録媒体の保持を解除する方向に前記保持手段を駆動する際に、前記記録媒体の調芯を解除する方向に前記調芯手段を駆動することを特徴とするクランプ・調芯機構。
【請求項３】
請求項１または２に記載のクランプ・調芯機構において、
前記記録媒体がターンテーブル上に載置される際には、前記保持手段は当該記録媒体の保持が不能となる位置に退避しているとともに、前記調芯手段は当該記録媒体の調芯が不能となる位置に退避していることを特徴とするクランプ・調芯機構。
【請求項４】
請求項１乃至３の何れか一項に記載のクランプ・調芯機構において、
前記調芯手段は、その一端が前記ターンテーブルに係止された弾性体からなり、
前記駆動手段は、前記記録媒体の調芯を解除する方向に当該弾性体の他端を押圧することを特徴とするクランプ・調芯機構。
【請求項５】
請求項４に記載のクランプ・調芯機構において、
前記駆動手段は、前記ターンテーブルの前記記録媒体を載置する面に対して垂直な方向に摺動可能な可動部材を備え、当該可動部材は、前記ターンテーブルの前記記録媒体を載置する面から離れる方向に摺動するときに前記記録媒体の調芯を解除する方向に当該弾性体の他端を押圧することを特徴とするクランプ・調芯機構。
【請求項６】
請求項５に記載のクランプ・調芯機構において、
前記保持手段は、前記ターンテーブルに回動自在に設けられた複数のチャック爪からなり、
前記可動部材は、前記ターンテーブルの前記記録媒体を載置する面から離れる方向に摺動するときに前記記録媒体の保持を解除する方向に前記複数のチャック爪を押圧することを特徴とするクランプ・調芯機構。
【請求項７】
請求項１乃至４の何れか一項に記載のクランプ・調芯機構において、
前記駆動手段は、前記記録媒体の保持を解除する方向に前記保持手段を駆動するときに前記保持手段が前記記録媒体を保持する方向に移動されることを規制する規制手段を備えることを特徴とするクランプ・調芯機構。
【請求項８】
請求項７に記載のクランプ・調芯機構において、
前記保持手段は、前記ターンテーブルに回動自在に設けられた複数のチャック爪からなり、
前記駆動手段は、前記ターンテーブルの前記記録媒体を載置する面に対して垂直な方向に摺動可能な可動部材を備え、前記規制手段は、前記可動部材が前記ターンテーブルの前記記録媒体を載置する面から離れる方向に摺動するときに前記複数のチャック爪を前記記録媒体の保持を解除する方向に押圧することを特徴とするクランプ・調芯機構。
【請求項９】
請求項１乃至８の何れか一項に記載のクランプ・調芯機構を備えることを特徴とする情報再生機構。
【請求項１０】
請求項１乃至８の何れか一項に記載のクランプ・調芯機構を備えることを特徴とする情報記録機構。
【発明の詳細な説明】
【０００１】
【発明の属する技術分野】
本発明は、ＣＤ（Ｃｏｍｐａｃｔ　Ｄｉｓｃ）やＤＶＤ（Ｄｉｇｉｔａｌ　Ｖｅｒｓｅｒｔｉｌｅ　Ｄｉｓｃ）等の記録媒体をターンテーブルに保持及び調芯するためのクランプ・調芯機構およびこのクランプ・調芯機構を備えた情報再生機構及び記録機構に関する。
【０００２】
【従来の技術】
一般に、ＣＤ（ＣＤ−ＲＯＭ，ＣＤ−Ｒ等）やＤＶＤ（ＤＶＤ−ＲＯＭ，ＤＶＤ−Ｒ，ＤＶＤ−Ｒ／Ｗ等）等の記録媒体（以下、「ディスク」という）から情報の読み出し、書き込みを行う情報記録再生機構においては、情報の読み出し・書き込みを行うピックアップとの位置関係を高精度に保つ必要があり、回転中のディスクと、ピックアップとの間に位置ズレが生じると、情報の読み出し・書き込みが困難となり、例えば、再生された音楽や映像が劣化したものとなってしまう。また、ディスクは一般に合成樹脂により形成されるので、ターンテーブルに装着するためのディスクの中心孔の内径寸法にバラツキが生じ易く、ディスクの内径によっては、ディスクがターンテーブルに同芯状に装着されず、偏芯が生じてしまう。
【０００３】
そこで、従来から、情報記録再生機構には、ディスクを保持するためのクランプ機構とともに、ディスクの偏芯を小さくするための調芯機構が備えられていた。図１は、従来の情報記録再生機構におけるターンテーブルにディスクがクランプされた状態を示す一例である。図１に示す情報記録再生機構では、調芯機構として調芯板ばね１が備えられており、かかる調芯板ばね１は、弾性変形により回転モータの回転軸２側に揺動可能である。そして、調芯板ばね１は、ターンテーブル３に載置されクランプ体４により上から押さえつけられ保持されているディスク５の中心孔の内周縁６に押圧状に当接され、ディスク５を外周方向に付勢することによって、当該ディスク５を調芯するようになっている。
【０００４】
【発明が解決しようとする課題】
しかしながら、従来の情報記録再生機構においては、ディスク５をターンテーブル３に載置する際、上から押さえつけて調芯板ばね１を押しのけながら載置を行っていた。
【０００５】
そのため、ディスク５が調芯板ばね１に乗りあがり、かかる調芯板ばね１の影響を受けやすく、安定した調芯、クランプを行うことが困難であるという問題が生じる。また、かかる調芯板ばね１の影響の分、ディスク５を上から押さえつける荷重（クランプ力）が大きくなり動作上の負荷になるという問題が生じる。
【０００６】
そこで、上記問題の解消を一つの課題とし、安定したクランプ・調芯を行えることが可能なクランプ・調芯機構、情報再生機構及び情報記録機構を提供することを目的とする。
【０００７】
【課題を解決するための手段】
上記課題を解決するため、請求項１に記載の発明は、記録媒体が載置され回転駆動手段により回転されるターンテーブルと、前記ターンテーブル上に載置された前記記録媒体を保持する保持手段と、前記ターンテーブル上に載置された前記記録媒体を調芯する調芯手段と、前記保持手段及び前記調芯手段を駆動する駆動手段と、を備えたクランプ・調芯機構であって、前記駆動手段は、前記記録媒体を保持する方向に前記保持手段を駆動する際に、当該記録媒体を調芯する方向に前記調芯手段を駆動することを特徴とする。
【０００８】
請求項２に記載の発明は、記録媒体が載置され回転駆動手段により回転されるターンテーブルと、前記ターンテーブル上に載置された前記記録媒体を保持する保持手段と、前記ターンテーブル上に載置された前記記録媒体を調芯する調芯手段と、前記保持手段及び前記調芯手段を駆動する駆動手段と、を備えたクランプ・調芯機構であって、前記駆動手段は、前記記録媒体の保持を解除する方向に前記保持手段を駆動する際に、前記記録媒体の調芯を解除する方向に前記調芯手段を駆動することを特徴とする。
【０００９】
請求項９に記載の発明は、請求項１乃至８の何れか一項に記載のクランプ・調芯機構を備えることを特徴とする。
【００１０】
請求項１０に記載の発明は、請求項１乃至８の何れか一項に記載のクランプ・調芯機構を備えることを特徴とする。
【００１１】
【発明の実施の形態】
以下、本発明の好適な実施形態を添付図面に基づいて説明する。なお、以下の説明は、情報再生機構としてＣＤやＤＶＤ等の記録媒体を再生するディスク再生機構に対して本発明に係るクランプ・調芯機構を適用した場合の実施形態である。
【００１２】
図２は本実施形態に係るディスク再生機構を示す平面図である。図２に示すように、ディスク再生部１０は可動ベース１１を有し、この可動ベース１１上にはターンテーブル１２、ピックアップ１３、ピックアップ移動機構１４およびクランプ・調芯制御機構１５が搭載されている。なお、ディスク再生部１０は、ディスク装置本体内に組み込まれて使用されることになる。
【００１３】
ピックアップ１３は、平面略Ｌ字状に形成された取付けベース１６を有し、この取付けベース１６のターンテーブル１２側の側面には、押圧突起部１７が一体に形成されるとともに、平面略円弧状に形成された作用片１８が固定されている。
【００１４】
ピックアップ移動機構１４は、一端が支持部材１９により支持されているスクリューシャフト２０と、駆動モータ２１と、この駆動モータ２１の駆動力をスクリューシャフト２０に伝達するプーリ、ベルトおよびギヤなどの駆動力伝達機構２２とを備えている。
【００１５】
クランプ・調芯制御機構１５は、ピックアップ１３の取付けベース１６に形成された押圧突起部１７により押圧される移動部材２３と、この移動部材２３を図中紙面に向かって下方向に付勢するコイルばね２４と、移動部材２３に連結軸２５を介して回動可能に連結された作動レバー２６とを備え、この作動レバー２６は支軸２７を中心として回動可能に構成されている。
【００１６】
図３は図２のターンテーブルを示す平面図、図４は図２のディスク再生機構のクランプ・調芯機構のクランプ状態を示す縦断面図、図５は図２のディスク再生機構のクランプ・調芯機構のアンクランプ状態を示す縦断面図、図６は図５のクランプ機構を示す拡大断面図である。また、図７は図３のターンテーブルを示す縦断面図、図８はクランプ・調芯機構の可動部材を示す縦断面図、図９（Ａ），（Ｂ）はクランプ・調芯機構のチャック爪を示す側面図，正面図、図１０（Ａ），（Ｂ）はクランプ・調芯機構の調芯部材を示す側面図，正面図である。
【００１７】
図３〜図６に示すように、本実施形態のクランプ・調芯機構３０は、ディスク８を載置する円板状のターンテーブル１２と、このターンテーブル１２の軸挿通孔３１に回転軸３２ａが嵌着する回転駆動手段としての回転モータ３２と、ターンテーブル１２の筒部３３に外嵌されてディスク８を載置する面と垂直な方向（上下方向）に摺動可能に設けられた可動部材３４と、この可動部材３４と回転モータ３２の上面との間に装着され可動部材３４を上方に付勢するばね３５と、ターンテーブル１２のディスク８を載置する面から出没自在な保持手段としての複数のチャック爪３６と、ターンテーブル１２上に載置されたディスク８を調芯する調芯手段としての調芯部材３７とから大略的に構成されている。
【００１８】
そして、ターンテーブル１２は、回転モータ３２の回転軸３２ａの回転にて回転し、可動部材３４およびばね３５はターンテーブル１２とともに回転するように構成されている。
【００１９】
ターンテーブル１２は、図７に示すように筒部３３が下面中央から突出して一体に形成され、この筒部３３に穿設された軸挿通孔３１に上記のように回転モータ３２の回転軸３２ａが嵌着される一方、上面にはディスク８の中心孔が嵌まり込む斜面３８を有する円形の段付部３９が一体に形成されている。
【００２０】
また、筒部３３の外周面には、周方向に一定間隔（ターンテーブル１２の中心から角度が１２０°となる間隔）をおいて３箇所ガイド部としての凹溝４０が軸方向に沿って形成されている。そして、ターンテーブル１２の段付部３９からその底面までには、チャック爪３６が装着される爪装着孔４１が周方向に一定間隔（ターンテーブル１２の中心から角度が１２０°となる間隔）をおいて３箇所穿設されており、これらの爪装着孔４１の底面には、それぞれ内周側に突出してチャック爪３６を支持するための支持用凸部４２がターンテーブル１２と一体に形成されている。
【００２１】
また、ターンテーブル１２の段付部３９からその底面までには、調芯部材３７が装着される調芯部材装着孔４３が１箇所（１つの爪装着孔４１の１８０°反対側）穿設されており、この調芯部材３７の一端を係止する調芯部材係止部４４がターンテーブル１２と一体に形成されている。
【００２２】
さらに、ターンテーブル１２の爪装着孔４１及び調芯部材装着孔４３を除く底面には、可動部材３４が装着される段付凹部４５が一体に形成されており、またターンテーブル１２の外周部には、下面が上り傾斜するテーパ状鍔部４６が形成されている。
【００２３】
一方、可動部材３４の中央部には、図８に示すように円筒部５０が一体に突設され、この円筒部５０の上端には周方向に一定間隔（ターンテーブル１２の中心から角度が１２０°となる間隔）をおいて３箇所、外周方向に張り出すように規制手段としての押圧部５１が一体に形成され、これらの押圧部５１は、可動部材３４がターンテーブル１２から離れる方向に摺動されるときに複数のチャック爪３６の他端を押圧して、ディスク８の保持を解除する方向、すなわち、ターンテーブル１２のディスク８を載置する面から退避（没入）させる方向（以下、アンクランプする方向と称して説明する）に回動させ、その回動されたチャック爪３６がディスク８を保持する方向、つまりターンテーブル１２のディスク８を載置する面から突出させる方向（以下、クランプする方向と称して説明する）に回動されることを規制する。
【００２４】
したがって、ディスク８をアンクランプする方向に回動された複数のチャック爪３６が何らかの要因によりディスク８をクランプする方向に回動しようとしてもその他端が押圧部５１に押圧されているため、その回動が規制される。
【００２５】
なお、上記した作用片１８、作動レバー２６、可動部材３４、ばね３５および押圧部５１等により駆動手段が構成される。
【００２６】
また、円筒部５０の下端内周面には、軸心に向かって突出するガイド部としての凸部５２が周方向に一定間隔（ターンテーブル１２の中心から角度が１２０°となる間隔）をおいて３箇所設けられ、これらの凸部５２はターンテーブル１２の筒部３３の外周面に３箇所形成された案内部としての凹溝３９に各々嵌合することで、筒部３３に対して可動部材３４をガイドして摺動する。
【００２７】
また、円筒部５０の押圧部５１の下部には、チャック爪３６の端部を係止する係止用凹部５３と、チャック爪３６の端部が当接する当接部５３ａとが連設され、また円筒部５０の底部外周側には、ばね３５の一端を保持するための保持溝５４が形成されている。
【００２８】
さらに、可動部材３４の外周部の内側には、調芯部材３７の他端が挿入される調芯部材挿入孔５５が形成されている。そして、可動部材３４がターンテーブル１２から離れる方向に摺動されると、調芯部材挿入孔５５の内壁が調芯部材３７の他端を円筒部５０の方向に押圧する。これにより、調芯部材３７は、その一端を支点として弾性変形により円筒部５０の方向に揺動することになる。
【００２９】
また、可動部材３４の外周部の外側には、上面が下り傾斜するテーパ状鍔部５６が形成されている。
【００３０】
一方、各チャック爪３６は、図４および図５に示すようにターンテーブル１２の爪装着孔４１に各々回動可能に装着され、これらのチャック爪３６は、可動部材３４をターンテーブル１２の筒部３３に対して摺動させることによりターンテーブル１２のディスク８を載置する面からそれぞれの一端を出没させてディスク８をターンテーブル１２に対し着脱可能とし、このとき各チャック爪３６の他端は、ターンテーブル１２の支持用凸部４２および可動部材３４の係止用凹部５３に支持されている。
【００３１】
また、各チャック爪３６は、例えば、合成樹脂により一体成形され、図９（Ａ），（Ｂ）に示すように一端に鉤状部６１を有し、この鉤状部６１の先端には、断面楔状の保持片６１ａが形成され、可動部材３４が上部に位置するとき鉤状部６１がターンテーブル１２のディスク８を載置する面から突出してその保持片６１ａがディスク８を保持する。
【００３２】
さらに、各チャック爪３６の他端には、略矩形平板状に形成された基部６２を有し、この基部６２の底面には、ターンテーブル１２の支持用凸部４２が嵌まり込む凹陥部６３が形成されるとともに、この基部６２の正面側には支持用凸部４２に支持される支軸６４が形成されている。また、基部６２の背面側には、可動部材３４の係止用凹部５３に嵌まり込み、当接部５３ａに当接する係止用凸部６５が形成されている。
【００３３】
すなわち、複数のチャック爪３６は、その一辺が支軸６４を中心として回動されるとともに、その一辺と対向する部位に係止用凸部６５が形成され、この係止用凸部６５が可動部材３４の押圧部５１により押圧されるように構成されている。
【００３４】
他方、調芯部材３７は、図４および図５に示すようにターンテーブル１２の調芯部材装着孔４３に装着され、その一端がターンテーブル１２の調芯部材係止部４４により係止され、片持梁状に弾性変形可能になっている。
【００３５】
より具体的には、調芯部材３７は、弾性体、例えば、金属の板ばねであり、図１０（Ａ）に示すように略Ｓ字形状に形成され、一端に調芯爪部７１を有し、この調芯爪部７１が、ターンテーブル１２の調芯部材係止部４４によって係止される。また、調芯爪部７１の先端には、鉤爪７１ａが形成されており、この鉤爪７１ａによって調芯爪部７１が確実に係止されるようになっている。
【００３６】
また、調芯部材３７には、図１０（Ａ），（Ｂ）に示すように突状の調芯突部７２が、ターンテーブル１２に載置されたディスク８の中心孔の内周縁と対応する位置に形成されている。そして、この調芯突部７２は、可動部材３４が上部に位置するとき、ターンテーブル１２に載置されたディスク８の中心孔の内周縁に押圧状に当接され、ディスク８を外周方向に付勢することによって、当該ディスク８を調芯する。一方、この調芯突部７２は、可動部材３４が下部に位置するとき、ターンテーブル１２に載置されたディスク８の中心孔の内周縁に押圧状に当接されない位置、すなわち、調芯不能となる位置に退避するようになっている。
【００３７】
さらに、調芯部材３７の他端には、図１０（Ａ）に示すように可動部材３４の調芯部材挿入孔５５に挿入される調芯受圧部７３が形成されており、この調芯受圧部７３は、可動部材３４がターンテーブル１２から離れる方向に摺動されるときに、調芯部材挿入孔５５の内壁によって可動部材３４の円筒部５０の方向、すなわち、調芯突部７２が調芯不能（調芯解除）となる位置に退避する方向に押圧される。つまり、調芯部材３７は、かかる押圧によって、調芯爪部７１を支点として片持梁状に撓んで可動部材３４の円筒部５０の方向に揺動するように構成されている。
【００３８】
次に、本実施形態のクランプ・調芯機構３０の作用を説明する。
【００３９】
先ず、ディスク再生部１０がディスク８をクランプしている状態にあるとき、クランプ機構３０は図４に示すように複数のチャック爪３６がターンテーブル１２のディスク８を載置する面から突出してディスク８を確実に保持しているとともに、調芯部材３７がディスク８を確実に調芯している。
【００４０】
そして、使用者によるディスク８の排出指令（例えば、ディスク装置本体に設けられた排出ボタンの押下による）等がなされると、ディスク再生部１０はクランプ動作及び調芯動作を解除する。まず、駆動モータ２１が作動し、この駆動力が駆動力伝達機構２２を介してスクリューシャフト２０に伝達されてスクリューシャフト２０を回転させる。このスクリューシャフト２０の回転によってピックアップ１３が図中Ａ方向に移動し、このピックアップ１３の移動に伴って押圧突起部１７および作用片１８も同方向に移動する。
【００４１】
この作用片１８が移動することにより、移動部材２３がコイルばね２４の付勢力に抗して図中紙面に向かって上方向に移動し、連結軸２５を介して作動レバー２６が支軸２７を中心としてＢ方向に回動し、図５に示すように作動レバー２６が作用片１８とともにターンテーブル１２と可動部材３４との間に圧入され、可動部材３４を押し下げる。
【００４２】
作動レバー２６が作用片１８とともに可動部材３４を押し下げると、可動部材３４の押圧部４６が、各チャック爪３６の係止用凸部６５を押し下げる。すると、各チャック爪３６はターンテーブル１２の支持用凸部４１に支持された基部６２の支軸６４を支点として矢印Ｃ方向に回動して鉤状部６１をターンテーブル１２のディスク８を載置する面から退避（没入）させ、つまり鉤状部６１を爪装着孔４０内に埋没させる、つまり、クランプが不能となる位置にチャック爪３６を退避させることにより、ディスク８のクランプ動作が解除される。
【００４３】
また、これと同時に、可動部材３４の調芯部材挿入孔５５の内壁によって、調芯部材３７の調芯受圧部７３が可動部材３４の円筒部５０の方向に押圧される。すると、調芯部材３７は、ターンテーブル１２の調芯部材係止部４４に係止された調芯爪部７１を支点として矢印Ｅ方向に撓んで調芯突部７２を調芯不能となる位置に退避させることにより、ディスク８の調芯動作が解除される。
【００４４】
そして、ディスク再生部１０がディスク装置本体内から外部にスライドして出される。
【００４５】
こうして、使用者は、ターンテーブル１２上に載置されたディスク８を別のディスクに容易に交換することができるようになる。つまり、使用者が、新たにディスク８をターンテーブル１２上に載置する際、クランプ動作及び調芯動作は解除されているので、従来のように、例えば、調芯板ばねを押しのけながらディスク８をターンテーブル１２上に載置する必要がなくなる。
【００４６】
そして、使用者より新たにディスク８がターンテーブル１２上に載置された後、当該使用者によるディスク８の取込指令（例えば、ディスク装置本体に設けられた取込ボタンの押下による）等がなされると、ディスク再生部１０がディスク装置本体内に取り込まれる。
【００４７】
次に、駆動モータ２１の作動によりスクリューシャフト２０が回転し、この回転によって押圧突起部１７および作用片１８が図中Ａ方向と逆方向に移動する。この作用片１８が移動することにより、移動部材２３がコイルばね２４の付勢力により図中紙面に向かって下方向に移動し、連結軸２５を介して作動レバー２６が支軸２７を中心としてＢ方向と逆方向に回動し、図４に示すように作動レバー２６が作用片１８とともにターンテーブル１２と可動部材３４との間から逃れ、可動部材３４がばね３５の付勢力により押し上げられる。
【００４８】
可動部材３４が押し上げられると、チャック爪３６は、可動部材３４の当接部５３ａによって係止用凸部６５が押されて支軸６４を支点としてＤ方向に回動し、鉤状部６１がターンテーブル１２のディスク８を載置する面から突出されることにより、ディスク８をクランプする。
【００４９】
また、これと同時に、調芯部材３７は、可動部材３４の調芯部材挿入孔５５の内壁による調芯受圧部７３への押圧が解除され調芯爪部７１を支点として矢印Ｅ方向と逆方向に回復し、調芯突部７２がディスク８の中心孔の内周縁に押圧状に当接されることによって、ディスク８を調芯する。
【００５０】
このように本実施形態のクランプ・調芯機構によれば、可動部材３４等によって、ディスク８がクランプされる方向にチャック爪３６が駆動される際に当該ディスク８が調芯される方向に調芯部材３７が駆動され、また、ディスク８のクランプが解除される方向にチャック爪３６が駆動される際に、ディスク８の調芯が解除される方向に調芯部材３７が駆動されるように構成したので、安定したディスク８のクランプ及び調芯を行うことができる。
【００５１】
そして、ディスク８がターンテーブル１２上に載置される際には、チャック爪３６をディスク８のクランプが不能となる位置に退避させるとともに、調芯部材３７をディスク８の調芯が不能となる位置に退避させるように構成したので、ディスク８を載置する際の調芯部材３７による影響（負荷）を無くすことができる。また、クランプ力を弱くすることができる。
【００５２】
また、可動部材３４の円筒部５０の上端に周方向に一定間隔をおいて押圧部５１を３箇所設け、これらの押圧部５１は、可動部材３４がターンテーブル１２から離れる方向に摺動される（押し下げられる）ときに複数のチャック爪３６の端部（他端）をアンクランプする方向に押圧して、チャック爪３６の回動を規制することにより、ディスク８の情報記録面をあらゆる角度に設置したとしてもディスク８のクランプ動作を正確かつ強制的に解除させることができる。これにより、クランプ解除精度を大幅に向上させることができる。
【００５３】
なお、上記実施形態では、規制手段である押圧部５１を可動部材３４と一体に形成し、その可動部材３４が摺動することにより押圧部５１が複数のチャック爪３６の他端を押圧して、複数のチャック爪３６の回動を規制することについて説明したが、これに限られることなく、可動部材３４と押圧部５１とを別体にしてもよく、また、可動部材３４のターンテーブル１２寄りの先端部と複数のチャック爪３６の他端とを連結した構成としてもよい。その場合は、その連結部が規制手段に相当し、可動部材３４が摺動することで複数のチャック爪３６が回動し、上記連結部によりその回動が規制されることになる。
【００５４】
なお、上記実施形態では、情報再生機構としてＣＤやＤＶＤ等の記録媒体を再生するディスク再生機構に対して、クランプ・調芯機構を適用した場合について説明したが、情報記録機構としてＣＤやＤＶＤ等の記録媒体に記録するディスク記録機構に対して、クランプ・調芯機構を適用してもよく、この場合も上記実施形態と同様の効果を得ることができる。
【図面の簡単な説明】
【図１】従来の情報記録再生機構におけるターンテーブルにディスクがクランプされた状態を示す図である。
【図２】本実施形態に係るディスク再生機構を示す平面図である。
【図３】図１のターンテーブルを示す平面図である。
【図４】図２のディスク再生機構のクランプ・調芯機構のクランプ状態を示す縦断面図である。
【図５】図２のディスク再生機構のクランプ・調芯機構のアンクランプ状態を示す縦断面図である。
【図６】図５のクランプ機構を示す拡大断面図である。
【図７】図３のターンテーブルを示す縦断面図である。
【図８】クランプ・調芯機構の可動部材を示す縦断面図である。
【図９】（Ａ），（Ｂ）はクランプ・調芯機構のチャック爪を示す側面図，正面図である。
【図１０】（Ａ），（Ｂ）はクランプ・調芯機構の調芯部材を示す側面図，正面図である。
【符号の説明】
８　ディスク（記録媒体）
１０　ディスク再生機構（情報再生機構）
１１　可動ベース
１２　ターンテーブル
１３　ピックアップ
１４　ピックアップ移動機構
１５　クランプ制御機構
１６　取付けベース
１７　押圧突起部
１８　作用片
１９　支持部材
２０　スクリューシャフト
２１　駆動モータ
２２　駆動力伝達機構
２３　移動部材
２４　コイルばね
２５　連結軸
２６　作動レバー
２７　支軸
３０　クランプ・調芯機構
３１　軸挿通孔
３２　回転モータ（回転駆動手段）
３３　筒部
３４　可動部材
３５　ばね
３６　チャック爪（保持手段）
３７　調芯部材（調芯手段）
３８　斜面
３９　段付部
４０　凹溝（ガイド部）
４１　爪装着孔
４２　支持用凸部
４３　調芯部材装着孔
４４　調芯部材係止部
４５　段付凹部
４６　テーパ状鍔部
５０　円筒部
５１　押圧部（押圧部材）
５２　凸部（ガイド部）
５３　係止用凹部
５４　保持溝
５５　調芯部材挿入孔
５６　テーパ状鍔部
６１　鉤状部
６２　基部
６３　凹陥部
６４　支軸
６５　係止用凸部
７１　調芯爪部
７２　調芯突部
７３　調芯受圧部
【図１】
2004071101.tif 000003
【図２】
2004071101.tif 000004
【図３】
2004071101.tif 000005
【図４】
2004071101.tif 000006
【図５】
2004071101.tif 000007
【図６】
2004071101.tif 000008
【図７】
2004071101.tif 000009
【図８】
2004071101.tif 000010
【図９】
2004071101.tif 000011
【図１０】
2004071101.tif 000012